(57)【要約】【課題】チャックが設けられた唯一の開口部分から、詰め物をチャックのシール面に触れることなく通過可能とする。【解決手段】開口部を横断するよう一方の開口部内面に貼着された突条３を有する帯状シート２ａに対し、凹溝４を有する帯状シート２ｂを、突条３と凹溝４とが互いに嵌め合わせ可能な配置関係を維持し、突条３と凹溝４とが嵌め合わされるシール部分より袋体１の内方側を解放した状態にて、凹溝４を有する帯状シート２ｂを、前記突条３を有した帯状シート２ａと同じ面に設ける。【選択図】    図１
2004155446.tif 000002
【特許請求の範囲】
【請求項１】
長手方向に連続した突条を有する帯状シートと、同じく長手方向に連続した凹溝を有する帯状シートとが互いに対となり、前記突条と凹溝とを嵌め合わせることにより密着状態が維持されるようシールされるチャックを、袋体の開口部内面に備えたチャック付き袋であって、前記突条を有する帯状シートと凹溝を有する帯状シートとが、突条と凹溝とが互いに嵌め合わせ可能な配置関係を維持し、突条と凹溝とが嵌め合わされるシール部分より袋体内方側を解放した状態にて、両帯状シートともが、袋体の開口部内面における対向する二面のうちの片側にあたる同じ面に設けられているチャック付き袋。
【請求項２】
突条或いは凹溝を有する面が袋体内面に貼着される帯状シートは、もう一方の帯状シートに対して幅広く開口縁側にはみ出しており、そのはみ出し際の部分に確保した切れ目形成用スペースより開口縁側寄りの部分が貼着されている請求項１に記載のチャック付き袋。
【請求項３】
突条或いは凹溝を有する面を袋体内面に貼着する帯状シートが、袋体と一体に成形されている請求項１又は２に記載のチャック付き袋。
【請求項４】
切れ目形成用スペースに、カットテープが設けられている請求項１〜３のいずれかに記載のチャック付き袋。
【請求項５】
袋体の開口部内面における対向する二面のうちの片側に、長手方向に連続した突条を有する帯状シートと、同じく長手方向に連続した凹溝を有する帯状シートとが互いに対となり、前記突条と凹溝とを嵌め合わせることにより密着状態が維持されるようシールされるチャックが設けられたチャック付き袋の製造方法であって、チャックが設けられる面に、一方の帯状シートを貼着し、その上に、その一方の帯状シートに対して幅広く開口縁側にはみ出し、突条と凹溝とを嵌め合わせ可能な位置関係を維持させたもう一方の帯状シートを、前記はみ出し際の部分に確保した切れ目形成用スペースより開口縁側寄りの部分のみを貼着するチャック付き袋の製造方法。
【請求項６】
突条を有する帯状シートと凹溝を有する帯状シートとが互いに対となり、前記突条と凹溝とを嵌め合わせることにより密着状態が維持されるようシールするチャックが、突条と凹溝とを嵌め合わせるシール部分より袋体内方側を解放した状態にて、両帯状シートとも、袋体開口部内面における対向する二面のうちの片側にあたる同じ面に設けられているチャック付き袋に対し、チャックと、チャックが貼着されていない袋体の内面との間から内容物を詰め込んだ後、袋体の開口縁を封止するチャック付き袋への袋詰め方法。
【発明の詳細な説明】
【０００１】
【発明の属する技術分野】
本発明は、長手方向に連続した突条を有する帯状シートと、同じく長手方向に連続した凹溝を有する帯状シートとが対となり、前記突条と凹溝とを互いに嵌め合わせることにより密着状態が維持されるようシールされるチャックを、袋体の開口部内面に備えたチャック付き袋に関する。
尚ここで開口部とは、袋詰めする際に詰め物の入り口として利用する箇所をいう。
【０００２】
【従来の技術】
チャック付き袋は、開閉操作が容易で密封性にも優れていることから、食品の保存をはじめとし、小物パーツや布団の整理用などとして一般家庭内まで広く普及している。
またこのチャック付き袋は、開口部を封止し、その封止した部分を開封後、チャックを利用して再度密封することが可能な商品包装用にも採用されている。
そしてそれら商品包装用のチャック付き袋は、互いに対となる突条と凹溝と有する帯状シートが袋体の開口部内面の対向する面に向かい合わせとなるよう貼着されており（図４のａ）、チャック２が設けられたシール部分と封止された部分との間をＶ状の切り込み７を利用してカットし、封止部８を取り去り（図４のｂ）、チャック２を開いて内容物Ｍを必要な量だけ取り出した後（図４のｃ）、チャック２を閉めて再密封させている（図４のｄ）。
（先行する特許文献なし）
【０００３】
【発明が解決しようとする課題】
前記チャック付き袋に内容物を詰めるには、チャック付きの開口部から詰め物を入れ、その開口部を封止する方法と、チャック付きの開口部を予め封止しておき、チャックの付いていない箇所に別の開口部を形成し、その開口部から詰め、その開口部を封止する方法との二通りがある。
チャック付きの開口部から詰める場合、詰め物が粉状であるとチャックに付着しやすく、商品価値が下がってしまうので、商品はできるだけチャックの付いていない開口部から詰め込むことが望ましい。
ところが、底が広く形成されたスタンディングパウチ、両側縁と底部とに持たせたマチ付き袋などでは、袋詰め後に開口部をヒートシールして底部などを形成するには、特殊な装置の導入や、袋の形態、生産ラインに大幅な変更を加えなくてはならないことから、チャック付き開口部から詰めているのが実情である。
そのため、ラインの変更を最小限に抑えた上で、チャックを有した開口部から、チャックに触れることなく袋詰め可能なチャック付き袋の技術開発が望まれている。
【０００４】
【課題を解決するための手段】
本発明は、前記の要望に応えるべく開発したチャック付き袋、及びそのチャック付き袋への袋詰め方法であって、その構成は、長手方向に連続した突条を有する帯状シートと、同じく長手方向に連続した凹溝を有する帯状シートとが互いに対となり、前記突条と凹溝とを嵌め合わせることにより密着状態が維持されるようシールされるチャックを、袋体の開口部内面に備えたチャック付き袋であって、前記突条を有する帯状シートと凹溝を有する帯状シートとが、突条と凹溝とが互いに嵌め合わせ可能な配置関係を維持し、突条と凹溝とが嵌め合わされるシール部分より袋体内方側を解放した状態にて、両帯状シートともが、袋体開口部内面における対向する二面のうちの片側にあたる同じ面に設けられているチャック付き袋と、袋体の開口部内面における対向する二面のうちの片側に、長手方向に連続した突条を有する帯状シートと、同じく長手方向に連続した凹溝を有する帯状シートとが互いに対となり、前記突条と凹溝とを嵌め合わせることにより密着状態が維持されるようシールされるチャックが設けられたチャック付き袋の製造方法であって、チャックが設けられる面に、一方の帯状シートを貼着し、その上に、その一方の帯状シートに対して幅広く開口縁側にはみ出し、突条と凹溝とを嵌め合わせ可能な位置関係を維持させたもう一方の帯状シートを、前記はみ出し際の部分に確保した切れ目形成用スペースより開口縁側寄りの部分のみを貼着するチャック付き袋の製造方法、及び突条を有する帯状シートと凹溝を有する帯状シートとが互いに対となり、前記突条と凹溝とを嵌め合わせることにより密着状態が維持されるようシールするチャックが、突条と凹溝とを嵌め合わせるシール部分より袋体内方側を解放した状態にて、両帯状シートとも、袋体の開口部内面における対向する二面のうちの片側にあたる同じ面に設けられているチャック付き袋に対し、チャックと、チャックが貼着されていない袋体の内面との間から内容物を詰め込んだ後、袋体の開口縁を封止するチャック付き袋への袋詰め方法とにある。
【０００５】
前記チャック付き袋は、突条或いは凹溝を有する面が袋体内面に貼着される帯状シートを、もう一方の帯状シートに対して幅広く開口縁側にはみ出させ、そのはみ出し際の部分に確保した切れ目形成用スペースより開口縁側寄りの部分が貼着したり、突条或いは凹溝を有する面を袋体内面に貼着する帯状シートを、袋体と一体に成形したり、切れ目形成用スペースに、カットテープを設けることができる。
【０００６】
【発明の実施の形態】
本発明に係るチャック付き袋と、及びそのチャック付き袋の製造方法、並びにそのチャック付き袋への袋詰め方法を図面に基づいて説明する。
図１は、チャック付き袋の構造を示したもので、１は、下端縁を折り返し、両サイドをヒートシールすることによって上縁のみが開口された合成樹脂製の袋体であり、この袋体１は、開口部内面にチャック２を備えたものとなっている。
チャック２は、長手方向に連続した突条３を有する帯状シート２ａと、同じく長手方向に連続した凹溝４を有する帯状シート２ｂとが対となり、前記突条３と凹溝４とを互いに嵌め合わせてシールすることができ、また、突条３と凹溝４との嵌め合わせを外して解放したり、再度嵌め合わせてシールし直すことが簡単にできるようになっている。
前記突条３と凹溝４とは、いずれもシートの表面にリブ状に肉盛りがされた形態をしており、周知のチャックと変わりはない。
【０００７】
そして前記チャック２は、片方の帯状シート２ａが、袋体開口部内面における対向する二面のうちの片側に貼着されており、もう一方のシート２ｂは、凹溝４を前記シート２ａの突条３と嵌め合わせた状態で、前記片方の帯状シート２ａに対して幅広く、開口縁側にはみ出していて、そのはみ出し際の部分に確保した切れ目形成エリアＳより開口縁側寄りの部分を前記片方の帯状シート２ａと同じ面に貼着し、袋体１の内方側は貼着されず、解放されたままになっている。
即ち、両帯状シート２ａ，２ｂともが、袋体開口部内面における対向する二面のうちの片側にあたる同じ面に貼着されているのである。
尚、使用するチャックは、幅狭の帯状シートと幅広の帯状シートとの組み合わせであるが、幅（広幅）の同じ帯状シートの組み合わせからなるチャックであっても、貼着する前に、一方の帯状シートを幅が狭くなるようカットすれば利用することができる。
【０００８】
袋体１には、前記帯状シート２ｂに確保された切れ目形成エリアＳに対応する部分に、チャック２と平行に剥ぎ取りタイプのカットテープ５が、スリット形成手段として貼り合わせられており、そのカットテープ５を剥ぎ取れば、ワンタッチにて袋体１の切れ目形成エリアＳに裂け目（スリット）を形成することができる。
そして前記チャック付き袋は、既存の製造ラインに若干の変更を加えるだけで製造可能である。
尚、開口部の端縁は最終的に封止されることになるが、上記した実施例は開口部の端縁が封止されていない袋詰め前の状態を説明したものである。
【０００９】
次に前記構造のチャック付き袋に袋詰し、又、袋詰め詰めされた袋から内容物を取り出す方法を、模式的に示した説明図に従って説明する。
上端縁がヒートシールされていないチャック付き袋は、袋体１を左右から押し縮めると、チャック２は両帯状シート２ａ，２ｂが貼着されている片側内面に密着し、その帯状シート２ａ，２ｂが貼着された面から片側内面が離れ、開口部が形成されるので、その開口部から内容物Ｍを詰め込む（図２のａ）。
【００１０】
詰め終ったら、上端縁をヒートシールして密封することにより、袋詰めは完了する（図２のｂ）。
この状態で流通過程に送り出され、店頭に並べた場合、外観的には既存の商品と変わりないので、顧客に対して品定めする際に何ら影響を及ぼさない。
【００１１】
内容物を取り出すには、カットテープ５を剥ぎ取り、袋体の切れ目形成エリアＳに裂け目６を形成し（図２のｃ）、チャック２を開いて袋体１を左右から押し縮めれば、帯状テープ２ａ，２ｂが袋体１の対向する内面に沿うよう湾曲すると共に、裂け目６が開き、開いた裂け目６から内容物Ｍを取り出すことができる（図２のｄ）。
必要な量だけ取り出し、袋体１内にまだ残っている場合は、チャック２の部分を外から指で挟んでしごき、突条を凹溝に嵌め合わせを再度シールすれば、密封状態を保つことができる。
【００１２】
前記袋詰めに際しては、内容物がシール面を通過しないので、突条或いは凹溝に内容物の一部が付着することがなく、商品価値を損なうことがなく、袋体の形態やラインの変更はごくわずかで済む。
袋体は、下縁と両サイドとが、折り返し或いはヒートシールによって封止された形態ばかりでなく、底付きやマチ付き袋にも適用でき、本発明は、特に、そのような左右や底に開口部を設けることのできないマチ付き袋や底付きのスタンディングパウチには好適である。
【００１３】
尚、チャックは、突条と凹溝とが逆の関係となるように取り付けてもかまわないし、帯状テープを袋体と一体に形成、具体例としては、図３の（ａ）、（ｂ）に示すように、突条３と凹溝４とが形成されたシートを折り返すことにより袋体を形成し、帯状テープが袋体の一部と共用されたものとし、帯状シートの位置ずれ防止をしたり、カットテープ以外のスリット形成手段、（図示は省略するが、例えば予め形成した切れ目の上にシールテープを貼着する）を採用するなど、適宜変更して差し支えない。
【００１４】
【発明の効果】
本発明によれば、チャックを備えた開口部から袋詰めしても、内容物がチャックのシール面を回避して通過するので、チャックのシール面に異物が付着せず、商品価値を損なうことがなくなる。
特に、スタンディングパウチやマチ付き袋には好都合といえる。
又、カットテープを設ければワンタッチで開封することができ、一体形成すれば、折り曲げるだけで位置決めされる。
【図面の簡単な説明】
【図１】本発明に係るチャック付き袋の説明図である。
【図２】袋詰め及び取り出し方法を模式的に示した説明図である。
【図３】変更例の説明図である。
【図４】従来例の説明図である。
【符号の説明】
１・・袋体、２・・チャック、３・・突条、４・・凹溝、５・・カットテープ、６・・裂け目、７・・切り込み、８・・封止部、Ｓ・・切れ目形成用エリア、Ｍ・・内容物。
【図１】
2004155446.tif 000003
【図２】
2004155446.tif 000004
【図３】
2004155446.tif 000005
【図４】
2004155446.tif 000006